(57)【要約】      （修正有）【課題】電流が高すぎると、自動的に電気回路を遮断して電気製品を保護するとともに、サイズが小さく交換が容易な電源スイッチの保護装置を提供する。【解決手段】ベース１０と、電気接続部材２０と、側部カバー３０と、切替ボタン５０とを有し、ベースの前面にメインスペース１１、上面に上部スペース１２が凹設され、電気接続部材はメインスペースに組み合わされ、第一端子２１と第二端子２２とガイドプレート２４とを備える。第一及び第二端子は、前端または後端をベースから突出するように、間隔をおいてメインスペースに挿し込まれ、ガイドプレートは一端を第一端子に接続し、他端が第二端子と対応するように取り付けられる。側部カバーは着脱可能にベースに組み合わされ、切替ボタンは上部スペースに嵌め込むようにベース両壁に枢設され、一端が第一端子に、他端が第二端子に対応し、ガイドプレートを第二端子と接続または離間させる。【選択図】図２
0003200845.tif 000002
【実用新案登録請求の範囲】
【請求項１】
前面にメインスペースが凹設され、該メインスペースに側部開口が形成され、上面に上部スペースが凹設され、該上部スペースに上部開口が形成され、該上部スペースがメインスペースと連通するベースと、
前記ベースのメインスペースに組み合わされると共に、第一端子と、第二端子と、ガイドプレートとを備え、その内、第一端子は、前部開口からメインスペースに挿し込まれ、その前端を介してベースの前部開口から突出し、該第二端子は、第一端子と間隔をおいて前部開口からメインスペースに挿し込まれ、その後端を介してベース０を貫通して後側から突出し、該ガイドプレートは、第一端子と第二端子との間に位置すると共に、一端を介して第一端子に接続し、他端を介して第二端子と対応するように取り付けられる、電気接続部材と、
着脱可能に前記ベースの前部開口に組み合わされ、一側近傍に貫通孔が形成され、前記第一端子が該貫通孔を通過してベースの外部へ突出する側部カバーと、
前記ベースの上部開口に嵌め込むようにベースの両側の壁に枢設され、その一端が第一端子に、他端が第二端子に対応し、該第二端子と対応する箇所に、ガイドプレートに掛止されるフックを備える切替ボタンとを有し、
前記切替ボタンを押して制御することにより、ガイドプレートを第二端子と接続させたり離間させたりすることを特徴とする電源スイッチの保護装置。
【請求項２】
前記ベースの前部開口からメインスペースに第三端子が挿し込まれ、該第三端子の後端がベースを貫通して後側から突出し、
前記ベースの上部スペースに指示ランプが設置され、また、前記切替ボタンが指示ランプをカバーするように取り付けられ、該指示ランプは、２本の電気接続リードを備え、そのうち、その一本の電気接続リードがベースのメインスペースに延出して第二端子と電気接続され、もう一本の電気接続リードがベースのメインスペース１１に延出して第三端子と電気接続されることを特徴とする請求項１に記載の電源スイッチの保護装置。
【請求項３】
前記ベースのメインスペースに、第一端子の形状及びサイズと一致する第一挿設溝、及び第二端子の形状及びサイズと一致する第二挿設溝が形成され、該第一端子がベースの前部開口からメインスペースの第一挿設溝に挿し込まれ、該第二端子がベースの前部開口からメインスペースの第二挿設溝に挿し込まれることを特徴とする請求項１に記載の電源スイッチの保護装置。
【請求項４】
前記ベースのメインスペースに、第一端子の形状及びサイズと一致する第一挿設溝と、第二端子の形状及びサイズと一致する第二挿設溝と、第三端子の形状及びサイズと一致する第三挿設溝が形成され、該第一端子がベースの前部開口からメインスペースの第一挿設溝に挿し込まれ、該第二端子がベースの前部開口からメインスペースの第二挿設溝に挿し込まれ、該第三端子がベースの前部開口からメインスペースの第三挿設溝に挿し込まれることを特徴とする請求項２に記載の電源スイッチの保護装置。
【請求項５】
前記第二端子に電気接続凸部が凸設されると共に、前記第三端子に電気接続凸部が凸設され、
前記指示ランプの一方の電気接続リードが第二端子の電気接続凸部と対応するよう設置されると共に、他方の電気接続リードが第三端子の電気接続凸部と対応するよう設置され、該電気接続リードと第二端子の電気接続凸部との間に弾性部材が取り付けられ、該電気接続足部と第三端子の電気接続凸部との間に弾性部材が取り付けられることを特徴とする請求項２または４に記載の電源スイッチの保護装置。
【請求項６】
前記ベースのメインスペースにそれぞれ２つの弾性部材を設置するための２つの凹み部が凹設され、
前記第二端子の電気接続凸部、第三端子の電気接続凸部、指示ランプの電気接続リードはそれぞれ、対応するベースの凹み部から延出するように設けられることを特徴とする請求項５に記載の電源スイッチの保護装置。
【請求項７】
前記ベースのメインスペースの内周面、及び第一端子の近傍かつ第一端子と第二端子との間に止め凸部が凸設され、該止め凸部は、ガイドプレートの、第一端子と接続する側と反対する側に当接されることを特徴とする請求項６に記載の電源スイッチの保護装置。
【考案の詳細な説明】
【技術分野】
【０００１】
本考案は、特に電流が高すぎると、自動的に電気回路を遮断して電気製品を保護する電源スイッチの保護装置に関するものである。
【背景技術】
【０００２】
延長コードや電気製品には殆ど電源スイッチ保護装置が設けられており、それによれば、電流が大きすぎると、電源スイッチ保護装置により電源を遮断して電気製品及び配線設備を保護する。
【０００３】
図７に示すように、既存の電源スイッチ保護装置は、ケース６１及びボタン６２を有し、該ケース６１は、上部に上部開口が形成され、内部に２つの電気接続端子６３Ａ、６３Ｂ及びガイドプレート６４が取り付けられ、該ガイドプレート６４の一端は電気接続端子６３Ａに接続されると共に、他端は電気接続端子６３Ｂと対応するように設置され、該ボタン６２は、上部開口の近傍に枢設され、電気接続端子６３Ａと、電気接続端子６３Ｂとの接触及び離脱により、ONとOFF状態を制御する。
【０００４】
既存の電源スイッチ保護装置を組み立てる時は、その電気接続端子６３Ａ及び電気接続端子６３Ｂをそれぞれ、ケース６１の上部開口から内部に挿し込んで底部から突出するように取り付け、ボタン６２を上部開口からケース６１に枢設する。使用時には、電気接続端子６３Ａ及び電気接続端子６３Ｂを介して延長コードまたは電気製品に電気接続させる。
【考案の概要】
【考案が解決しようとする課題】
【０００５】
しかしながら、上述した構成によれば、既存の電源スイッチ保護装置の高さは、ケース６１の高さ及び電気接続端子６３Ａ、６３Ｂの高さを含めて３０ミリ以上となることから、一定の体積を有し、電気製品の小型化を制限してしまうので、外観にも劣るという問題があった。
また、そのボタン６２がケース６１の上部開口の近傍に枢設されると、その電気接続端子６３Ａ、６３Ｂをケース６１から取り外すことできなくなるので、電気接続端子６３Ａ、６３Ｂ及びガイドプレート６４の交換では当然ながらできない。
【課題を解決するための手段】
【０００６】
本考案に係る電源スイッチの保護装置は、前面にメインスペースが凹設され、該メインスペースに側部開口が形成され、上面に上部スペースが凹設され、該上部スペースに上部開口が形成され、該上部スペースがメインスペースと連通するベースと、
前記ベースのメインスペースに組み合わされると共に、第一端子と、第二端子と、ガイドプレートとを備え、その内、第一端子は、前部開口からメインスペースに挿し込まれ、その前端を介してベースの前部開口から突出し、該第二端子は、第一端子と間隔をおいて前部開口からメインスペースに挿し込まれ、その後端を介してベース０を貫通して後側から突出し、該ガイドプレートは、第一端子と第二端子との間に位置すると共に、一端を介して第一端子に接続し、他端を介して第二端子と対応するように取り付けられる、電気接続部材と、
着脱可能に前記ベースの前部開口に組み合わされ、一側近傍に貫通孔が形成され、前記第一端子が該貫通孔を通過してベースの外部へ突出する側部カバーと、
前記ベースの上部開口に嵌め込むようにベースの両側の壁に枢設され、その一端が第一端子に、他端が第二端子に対応し、該第二端子と対応する箇所に、ガイドプレートに掛止されるフックを備える切替ボタンとを有し、
前記切替ボタンを押して制御することにより、ガイドプレートを第二端子と接続させたり離間させたりするものである。
【０００７】
かかる電源スイッチの保護装置において、
前記ベースの前部開口からメインスペースに第三端子が挿し込まれ、該第三端子の後端がベースを貫通して後側から突出し、
前記ベースの上部スペースに指示ランプが設置され、また、前記切替ボタンが指示ランプをカバーするように取り付けられ、該指示ランプは、２本の電気接続リードを備え、そのうち、その一本の電気接続リードがベースのメインスペースに延出して第二端子と電気接続され、もう一本の電気接続リードがベースのメインスペース１１に延出して第三端子と電気接続されることが好ましい。
【０００８】
かかる電源スイッチの保護装置において、
前記ベースのメインスペースに、第一端子の形状及びサイズと一致する第一挿設溝、及び第二端子の形状及びサイズと一致する第二挿設溝が形成され、該第一端子がベースの前部開口からメインスペースの第一挿設溝に挿し込まれ、該第二端子がベースの前部開口からメインスペースの第二挿設溝に挿し込まれることが好ましい。
【０００９】
かかる電源スイッチの保護装置において、
前記ベースのメインスペースに、第一端子の形状及びサイズと一致する第一挿設溝と、第二端子の形状及びサイズと一致する第二挿設溝と、第三端子の形状及びサイズと一致する第三挿設溝が形成され、該第一端子がベースの前部開口からメインスペースの第一挿設溝に挿し込まれ、該第二端子がベースの前部開口からメインスペースの第二挿設溝に挿し込まれ、該第三端子がベースの前部開口からメインスペースの第三挿設溝に挿し込まれることが好ましい。
【００１０】
かかる電源スイッチの保護装置において、
前記第二端子に電気接続凸部が凸設されると共に、前記第三端子に電気接続凸部が凸設され、
前記指示ランプの一方の電気接続リードが第二端子の電気接続凸部と対応するよう設置されると共に、他方の電気接続リードが第三端子の電気接続凸部と対応するよう設置され、該電気接続リードと第二端子の電気接続凸部との間に弾性部材が取り付けられ、該電気接続足部と第三端子の電気接続凸部との間に弾性部材が取り付けられることが好ましい。
【００１１】
かかる電源スイッチの保護装置において、
前記ベースのメインスペースにそれぞれ２つの弾性部材を設置するための２つの凹み部が凹設され、
前記第二端子の電気接続凸部、第三端子の電気接続凸部、指示ランプの電気接続リードはそれぞれ、対応するベースの凹み部から延出するように設けられることが好ましい。
【００１２】
かかる電源スイッチの保護装置において、
前記ベースのメインスペースの内周面、及び第一端子の近傍かつ第一端子と第二端子との間に止め凸部が凸設され、該止め凸部は、ガイドプレートの、第一端子と接続する側と反対する側に当接されることが好ましい。
【考案の効果】
【００１３】
本考案に係る電源スイッチの保護装置では、その第一端子、第二端子、第三端子がそれぞれ、ベースの側面に挿し込んで前端または後端を側部から外部へ突出することから、各端子の長さが長くなっても電源スイッチの保護装置の高さを増加することはなく、ベースの高さを電源スイッチの保護装置の高さである。故に、本考案の電源スイッチの保護装置のサイズを縮小でき、電気製品（家電や延長コードなど）の内部に設置すれば、小型化が可能となるので、生産コストも節約することができる。
【００１４】
さらに、それらの第一端子、第二端子、第三端子は、ベースの上部開口から挿し込んで組み立てるのではなく、個別にベースの側面から挿し込んで組み立てることから、側部カバーを取り外せば、第一端子や、第二端子、第三端子を簡単に交換することができる。また、それらの端子を交換して組み立てる時に、端子がベースに挿し込んで取り付けられてもよく、溶接手段によりベースに接着されてもよく、ベースに挿し込んでから溶接手段で接着されてもよい。
【図面の簡単な説明】
【００１５】
【図１】本考案に係る電源スイッチの保護装置の斜視図である。
【図２】本考案に係る電源スイッチの保護装置の分解斜視図である。
【図３】本考案に係る電源スイッチの保護装置の他の分解斜視図である。
【図４Ａ】本考案に係る電源スイッチの保護装置の平面断面図である。
【図４Ｂ】図４Ａの部分拡大断面図である。
【図５】本考案に係る電源スイッチの保護装置の操作状態を示す背面断面図である。
【図６】本考案に係る電源スイッチの保護装置の他の操作状態を示す背面断面図である。
【図７】既存の電源スイッチ保護装置の背面説明図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１及び図２に示すように、本考案に係る電源スイッチの保護装置は、ベース１０と、電気接続部材２０と、側部カバー３０と、指示ランプ４０と、切替ボタン５０とを有する。
前記ベース１０は、前面にメインスペース１１が凹設され、該メインスペース１１に側部開口が形成され、上面に上部スペース１２が凹設され、該上部スペース１２に上部開口が形成され、該上部スペース１２がメインスペース１１と連通する。
また、図２及び図４Ａに示すように、前記メインスペース１１における、一側に第一挿設溝１１１が、中央に第二挿設溝１１２が、他側に第三挿設溝１１３が形成され、該メインスペース１１における第二挿設溝１１２及び第三挿設溝１１３の近傍にそれぞれ凹み部１１４が凹設され、さらに、図５及び図６に示すように、該メインスペース１１の内周面に止め凸部１１５が凸設される。
【００１８】
図３乃至図４Ｂに示すように、前記電気接続部材２０は、ベース１０のメインスペース１１に組み合わされると共に、第一端子２１と、第二端子２２と、第三端子２３と、ガイドプレート２４とを備え、その内、第一端子２１は、前部開口からメインスペース１１の第一挿設溝１１１に挿し込まれ、その前端を介してベース１０の前部開口から突出し、該第二端子２２は、第一端子２１と間隔をおいて前部開口からメインスペース１１の第二挿設溝１１２に挿し込まれ、その後端を介してベース１０を貫通して後側から突出し、その一側に電気接続凸部２２１が凸設され、該第三端子２３は、ベース１０の前部開口からメインスペース１１の第三挿設溝１１３に挿し込まれ、後端を介してベース１０を貫通して後側から突出し、電気接続凸部２３１を備える。
また、その第一端子２１は、第一挿設溝１１１の形状及びサイズと一致し、その第二端子２２は、第二挿設溝１１２の形状及びサイズと一致し、その第三端子２３は、第三挿設溝１１３の形状及びサイズと一致する。
【００１９】
図５に示すように、前記ガイドプレート２４は、第一端子２１と第二端子２２との間に位置すると共に、一端が第一端子２１に接続し、他端が第二端子２２と対応するように、ベース１０のメインスペース１１に取り付けられる。
一方、前記ベース１０の止め凸部１１５は、第一端子２１の近傍かつ第一端子２１と第二端子２２との間に設けられることにより、ガイドプレート２４の、第一端子２１と接続する側と反対する側に当接される。この構造によれば、ガイドプレート２４を穏やかに保持しながら、第一端子２１及びガイドプレート２４を電気接続させることができる。
【００２０】
前記側部カバー３０は、ベース１０のメインスペース１１をカバーするように、着脱可能にベース１０の前部開口に組み合わされ、両側近傍にそれぞれ貫通孔が形成され、前記第一端子２１及び第三端子２３がそれぞれ貫通孔を通過して外部へ突出する。
【００２１】
前記指示ランプ４０は、ベース１０の上部スペース１２に設置され、２本の電気接続リード４１を備え、そのうち、その一本の電気接続リード４１は、ベース１０のメインスペース１１に延出して第二端子２２の電気接続凸部２２１と間隔をおいて対応するように設けられると共に、他の一本の電気接続リード４１は、ベース１０のメインスペース１１に延出して第三端子２３の電気接続凸部２３１と間隔をおいて対応するように設けられ、それらの電気接続リード４１における、電気接続凸部２２１及び電気接続凸部２３１に対応する箇所かつベース１０の凹み部１１４にそれぞれ弾性部材４２が取り付けられ、一方の弾性部材４２を介して電気接続リード４１と電気接続凸部２２１とが電気接続されると共に、他方の弾性部材４２を介して電気接続リード４１と電気接続凸部２３１とが電気接続される。
【００２２】
尚、本実施例において、その弾性部材４２は、ベース１０の凹み部１１４に設置されるばねであり、また、その第二端子２２の電気接続凸部２２１、第三端子２３の電気接続凸部２３１、指示ランプ４０の電気接続リード４１はそれぞれ、電気接続のために、対応するベース１０の凹み部１１４から延出するように設けられる。
【００２３】
前記切替ボタン５０は、指示ランプ４０をカバーするように、ベース１０の上部開口に嵌め込んでベース１０両側の壁に枢設され、一端が第一端子２１に、他端が第二端子２２に対応するように設置され、その第二端子２２と対応する箇所にフック５１が取り付けられ、該フック５１はガイドプレート２４に掛止される。
【００２４】
図５に示すように、本考案の電源スイッチの保護装置を使用する時は、その切替ボタン５０のＯＮ、ＯＦＦ状態を調節して、切替ボタン５０のフック５１をガイドプレート２４に連動させて第二端子２２に接触させ。この時、第一端子２１及び第二端子２２がガイドプレート２４を介して互いに電気接続することから、電源がＯＮ状態となり電流が流れると、指示ランプ４０が付く。一方、図６に示すように、切替ボタン５０を切り替えて第一端子２１を押すと、止め凸部１１５がガイドプレート２４を押付けながら、フック５１がガイドプレート２４と連動して第二端子２２から離間して上方に持ち上がり、それにより、第一端子２１と第二端子２２とが遮断して電流が流れなくなるので、指示ランプ４０が消える。つまり、その切替ボタン５０を調節してベース１０に対して枢動すると、ガイドプレート２４の第二端子２２との接触や離間制御することができる。
【００２５】
本考案に係る電源スイッチの保護装置においては、第一端子２１、第二端子２２、第三端子２３がそれぞれベース１０の側面に挿し込んで取り付けられると共に、その端部が側面から外部へ横方向に突出することから、各端子の長さが長くなっても電源スイッチの保護装置の高さを増加することはなく、ベースの高さをと電源スイッチの保護装置の高さである。故に、本考案の電源スイッチの保護装置のサイズを縮小できることから、電気製品（家電や延長コードなど）の内部に設置すれば、製品を全体的に小型化できるので、生産コストを低減できる。
【００２６】
さらに、それらの第一端子２１、第二端子２２、第三端子２３は、ベース１０の上部開口から挿し込んで組み立てるのではなく、個別にベース１０の側面から挿し込んで組み立てることから、側部カバー３０を取り外せば、第一端子２１や、第二端子２２、第三端子２３を簡単に交換することができ、また、組立または交換の時には、第一端子２１、第二端子２２、第三端子２３はそれぞれ、ベース１０に挿し込んで取り付けられてもよく、溶接手段によりベースに接着されてもよく、ベースに挿し込んでから溶接手段で接着されてもよい。
【符号の説明】
【００２７】
１０         ベース
１１         メインスペース
１１１       第一挿設溝
１１２       第二挿設溝
１１３       第三挿設溝
１１４       凹み部
１１５       止め凸部
１２         上部スペース
２０         電気接続部材
２１         第一端子
２２         第二端子
２２１       電気接続凸部
２３         第三端子
２３１       電気接続凸部
２４                   ガイドプレート
３０         側部カバー
４０         指示ランプ
４１         電気接続足部
４２         弾性部材
５０         切替ボタン
５１                   フック
６１         ケース
６２         ボタン
６３Ａ、６３Ｂ    電気接続端子
６４         ガイドプレート
【図１】
0003200845.tif 000003
【図２】
0003200845.tif 000004
【図３】
0003200845.tif 000005
【図４Ａ】
0003200845.tif 000006
【図４Ｂ】
0003200845.tif 000007
【図５】
0003200845.tif 000008
【図６】
0003200845.tif 000009
【図７】
0003200845.tif 000010
【手続補正書】
【提出日】平成27年9月1日(2015.9.1)
【手続補正１】
【補正対象書類名】実用新案登録請求の範囲
【補正対象項目名】全文
【補正方法】変更
【補正の内容】
【実用新案登録請求の範囲】
【請求項１】
前面にメインスペースが凹設され、該メインスペースに側部開口が形成され、上面に上部スペースが凹設され、該上部スペースに上部開口が形成され、該上部スペースがメインスペースと連通するベースと、
前記ベースのメインスペースに組み合わされると共に、第一端子と、第二端子と、ガイドプレートとを備え、その内、第一端子は、前部開口からメインスペースに挿し込まれ、その前端を介してベースの前部開口から突出し、該第二端子は、第一端子と間隔をおいて前部開口からメインスペースに挿し込まれ、その後端を介してベースを貫通して後側から突出し、該ガイドプレートは、第一端子と第二端子との間に位置すると共に、一端を介して第一端子に接続し、他端を介して第二端子と対応するように取り付けられる、電気接続部材と、
着脱可能に前記ベースの前部開口に組み合わされ、一側近傍に貫通孔が形成され、前記第一端子が該貫通孔を通過してベースの外部へ突出する側部カバーと、
前記ベースの上部開口に嵌め込むようにベースの両側の壁に枢設され、その一端が第一端子に、他端が第二端子に対応し、該第二端子と対応する箇所に、ガイドプレートに掛止されるフックを備える切替ボタンとを有し、
前記切替ボタンを押して制御することにより、ガイドプレートを第二端子と接続させたり離間させたりすることを特徴とする電源スイッチの保護装置。
【請求項２】
前記ベースの前部開口からメインスペースに第三端子が挿し込まれ、該第三端子の後端がベースを貫通して後側から突出し、
前記ベースの上部スペースに指示ランプが設置され、また、前記切替ボタンが指示ランプをカバーするように取り付けられ、該指示ランプは、２本の電気接続リードを備え、そのうち、その一本の電気接続リードがベースのメインスペースに延出して第二端子と電気接続され、もう一本の電気接続リードがベースのメインスペース１１に延出して第三端子と電気接続されることを特徴とする請求項１に記載の電源スイッチの保護装置。
【請求項３】
前記ベースのメインスペースに、第一端子の形状及びサイズと一致する第一挿設溝、及び第二端子の形状及びサイズと一致する第二挿設溝が形成され、該第一端子がベースの前部開口からメインスペースの第一挿設溝に挿し込まれ、該第二端子がベースの前部開口からメインスペースの第二挿設溝に挿し込まれることを特徴とする請求項１に記載の電源スイッチの保護装置。
【請求項４】
前記ベースのメインスペースに、第一端子の形状及びサイズと一致する第一挿設溝と、第二端子の形状及びサイズと一致する第二挿設溝と、第三端子の形状及びサイズと一致する第三挿設溝が形成され、該第一端子がベースの前部開口からメインスペースの第一挿設溝に挿し込まれ、該第二端子がベースの前部開口からメインスペースの第二挿設溝に挿し込まれ、該第三端子がベースの前部開口からメインスペースの第三挿設溝に挿し込まれることを特徴とする請求項２に記載の電源スイッチの保護装置。
【請求項５】
前記第二端子に電気接続凸部が凸設されると共に、前記第三端子に電気接続凸部が凸設され、
前記指示ランプの一方の電気接続リードが第二端子の電気接続凸部と対応するよう設置されると共に、他方の電気接続リードが第三端子の電気接続凸部と対応するよう設置され、該一方の電気接続リードと第二端子の電気接続凸部との間に弾性部材が取り付けられ、該他方の電気接続リードと第三端子の電気接続凸部との間に弾性部材が取り付けられることを特徴とする請求項２または４に記載の電源スイッチの保護装置。
【請求項６】
前記ベースのメインスペースにそれぞれ２つの弾性部材を設置するための２つの凹み部が凹設され、
前記第二端子の電気接続凸部、第三端子の電気接続凸部、指示ランプの電気接続リードはそれぞれ、対応するベースの凹み部から延出するように設けられることを特徴とする請求項５に記載の電源スイッチの保護装置。
【請求項７】
前記ベースのメインスペースの内周面、及び第一端子の近傍かつ第一端子と第二端子との間に止め凸部が凸設され、該止め凸部は、ガイドプレートの、第一端子と接続する側と反対する側に当接されることを特徴とする請求項６に記載の電源スイッチの保護装置。